(57)【要約】【課題】糸，布帛等の被処理物に対し、ビート斑等の発生を見ることがなく叩解が行なえ、また、ビート力を適宜調整することを可能としたビーティング装置を得る。【解決手段】先端に設けたビーティング部材が接近離去するよう揺動自在に支持した対のビートハンマーと、ビートハンマーを揺動するハンマー駆動装置と、対のビーティング部材間のニップ間隙を通過するよう被処理材を支持する被処理材支持装置とよりなり、ハンマー駆動装置として前記対のビートハンマーのそれぞれには、ビーティング部材を接近する方向に付勢するビートスプリング及びビーティング部材を離去する方向に付勢するニップ間隙開口手段を付設した。【選択図】図２
2007211382.tif 000002
【特許請求の範囲】
【請求項１】
先端に設けたビーティング部材が接近離去するよう揺動自在に支持した対のビートハンマーと、ビートハンマーを揺動するハンマー駆動装置と、対のビーティング部材間のニップ間隙を通過するよう被処理材を支持する被処理材支持装置とよりなり、ハンマー駆動装置として前記対のビートハンマーのそれぞれには、ビーティング部材を接近する方向に付勢するビートスプリング及びビーティング部材を離去する方向に付勢するニップ間隙開口手段を付設したことを特徴とするビーティング装置。
【請求項２】
ビートスプリングと付勢方向を逆にしビートスプリングより付勢力の弱い修正用補助スプリングをビートハンマーに設けたことを特徴とする請求項１記載のビーティング装置。
【請求項３】
スプリングはその付勢力を適宜調節可能としたことを特徴とする請求項１又は２記載のビーティング装置。
【請求項４】
被処理材支持装置は、軸を平行にして３角形状に配された３本の被処理材懸架ロールを有し、該ロールに被処理材を懸架することを特徴とする請求項１記載のビーティング装置。
【請求項５】
被処理材懸架ロールの駆動は、ビートハンマーが開き対のビーティング部材が互いに離去した位置にある際に作動することを特徴とする請求項４記載のビーティング装置。
【発明の詳細な説明】
【技術分野】
【０００１】
本発明は、糸，布帛等を叩解することによって、柔軟性，光沢を増加し染色性を高める目的に使用するビーティング装置に関する。
【背景技術】
【０００２】
従来より糸，布帛等を叩くことによって繊維の柔軟性を高め光沢を生じさせる作業は行なわれている。生糸は太繊度糸，一般生糸繰糸，織物工程に必要な撚糸と，精練染色など後工程の作業性向上と品位の向上を目的として行なわれ、セリシンが残っている布地などでは叩くことにより柔らかくしている。即ち、盤上に畳んだ布を置き、それをハンマー様の槌で叩く（特許文献１参照）もの、或いは布の上位に設けた槌を布に対し落下させて叩くもの（特許文献２）などがある。
【０００３】
これらはいずれも、布に対して、その一面から力を加え布を叩いているものであり、また、布に加えられるビート力を適宜調整することは出来ない。ビート力が強いと布を痛め、糸を処理する場合には糸切れの発生を見ることにもなる。
また、台上の布，糸等に対しその一面からのみビート力が加えられた場合、ビート力が加えられた面のみ処理が進み、他面に対しビート斑を発生させる恐れもあった。
【特許文献１】登録実用新案第１９９４９号公報
【特許文献２】実公平１−２９２７２号公報
【発明の開示】
【発明が解決しようとする課題】
【０００４】
本発明は上記の点に鑑みて、糸，布帛等の被処理物に対し、ビート斑等の発生を見ることがなく叩解が行なえ、また、ビート力を適宜調整することを可能としたビーティング装置を得ることを目的としている。
【課題を解決するための手段】
【０００５】
請求項１記載の発明にあっては、先端に設けたビーティング部材が接近離去するよう揺動自在に支持した対のビートハンマーと、ビートハンマーを揺動するハンマー駆動装置と、対のビーティング部材間のニップ間隙を通過するよう被処理材を支持する被処理材支持装置とよりなり、ハンマー駆動装置として前記対のビートハンマーのそれぞれには、ビーティング部材を接近する方向に付勢するビートスプリング及びビーティング部材を離去する方向に付勢するニップ間隙開口手段を付設した。
請求項２記載の発明にあっては、ビートスプリングと付勢方向を逆にしビートスプリングより付勢力の弱い修正用補助スプリングをビートハンマーに設けた。
請求項３記載の発明にあっては、スプリングはその付勢力を適宜調節可能とした。
請求項４記載の発明にあっては、被処理材支持装置は、軸を平行にして３角形状に配された３本の被処理材懸架ロールを有し、該ロールに被処理材を懸架する。
請求項５記載の発明にあっては、被処理材懸架ロールの駆動は、ビートハンマーが開き対のビーティング部材が互いに離去した位置にある際に作動する。
【発明の効果】
【０００６】
本発明は、糸，布帛等の被処理材を叩くビーティング部材を先端に有し、揺動自在に支持された対のビートハンマーの前記ビーティング部材により被処理材をニップして叩くために、被処理材は同時に両面からニップ力を受けることになり、一面のみにニップ力を受ける従来のビーティング装置に比してビート斑を発生する恐れがない。
【０００７】
また、ビーティングの際にビートハンマーを被処理材に対して押し当てるビート力はスプリングの弾発力によって得られており、その力は適宜被処理材の性質等に応じて変更し得るから被処理材に対し最も適したビート力で処理することこと出来る。
【０００８】
更に、被処理材を叩く位置を変更する際はビートハンマーを開きビーティング部材を被処理材から離した状態で被処理材支持装置を動かすことが出来るのでビーティング部材が例えば糸を切断してしまうと云う事態は生じない。
【発明を実施するための最良の形態】
【０００９】
本発明を実施するための最良の形態を次に図面と共に説明する。
図１は、本発明ビーティング装置の正面図、図２はビートハンマーとその駆動装置の側面図である。
【００１０】
本発明ビーティング装置は、上下一対のビートハンマー１ａ，１ｂ、ハンマー駆動装置２、被処理材支持装置３より主としてなる。
ビートハンマー１ａ，１ｂは、上下に軸４ａ，４ｂにより揺動自在に支持され、その先端に、糸，布帛等の被処理材６をニップしビートするビーティング部材７ａ，７ｂを設けている。ビーティング部材７ａ，７ｂは、その間にニップした被処理材６を叩き、柔かくし或いは光沢を生じさせるためのいわば槌に相当するもので、図示の例では、ロールとしている。以下ビーティング部材７ａ，７ｂをビートロールと称する。
【００１１】
ハンマー駆動装置２は、前記対のビートロール７ａ，７ｂ間のニップ間隙８内の被処理材６を叩くために、ニップ間隙８を開く動作を行うニップ間隙開口手段９と、前記ニップ間隙８を閉じ、その際被処理材６を叩く動作を行うビートスプリング１０ａ，１０ｂを有している。
【００１２】
ニップ間隙開口手段９は、上下両ビートハンマー１ａ，１ｂを揺動しビートハンマー１ａ，１ｂ先端のビートロール７ａ，７ｂによってその間に挟んだ糸，布帛等の被処理材６を叩くため前記ニップ間隙８を開くための装置であって、モータ１５の回転を駆動系１６を介して受け、軸１７ａ，１７ｂに設けた回転アーム１８ａ，１８ｂ先端のロール１９ａ，１９ｂをそれぞれビートハンマー１ａ，１ｂの端部とするよう設けている。上記構成によりモーター１５の回転は駆動系１６を介して軸１７ａ，１７ｂに伝えられそれぞれ矢印方向に回転する。軸１７ａ，１７ｂの回転により同軸と一体の回転アーム１８ａ，１８ｂも回転し回転アーム先端のロール１９ａ，１９ｂはそれぞれ上部ビートハンマー１ａ下部，上部ビートハンマー１ｂの端部と当接し、同ハンマー１ａ，１ｂを軸４ａ，４ｂを支点として揺動し、同ハンマー１ａ，１ｂ先端のビートロール７ａ，７ｂはニップ間隙８を開くことになる。
【００１３】
ビートスプリング１０ａ，１０ｂはビートハンマー１ａ，１ｂが揺動し、それらの先端に設けられたビートロール７ａ，７ｂのニップ間隙８を開いた後に該間隙８を閉じるようにビートハンマー１ａ，１ｂに付勢するためのもので、ビートハンマー１ａにはビートスプリング１０ａがビートハンマー１ｂにはビートスプリング１０ｂがそれぞれ設けられている。上記いずれのビートスプリング１０ａ，１０ｂにあっても、一端は装置フレームのアングル材１３に螺子止めされたボルト１４に係止されており、ボルト１４の位置を適宜変更することでビートスプリング１０ａ，１０ｂの引張力は調節出来る。
【００１４】
下部ビートハンマー１ｂに設けたビートスプリング１０ｂは前記ハンマー１ｂの両側に突出したステー１２にそれぞれ下端を係止して下部ビートハンマー１ｂの両側位置に対に設けられている。
また、ビートハンマー１ａ，１ｂにはそれぞれ修正用補助スプリング１１ａ，１１ｂが設けてあり、ビートハンマー１ａ，１ｂのビートロール７ａ，７ｂのビーティングが終了した際におけるビートハンマー１ａ，１ｂの微細振動を吸収し、被処理材６の表面をビートロール７ａ，７ｂが不必要な衝撃を与えるのを防止している。
【００１５】
被処理材支持装置３は、被処理材６を前記ビートハンマー１ａ，１ｂのビートロール７ａ，７ｂ間に挾持した状態でビーティング装置にセットするための装置であって、図１に示す如く３本の被処理材懸架ロール２１，２２，２３をその軸を平行にして３角形状に配設し、内２本のロール２１，２２を位置固定ロールとして水平状態に設置し、その間の下位に上下位置変更可能に加動ロール２３を設ける。前記２本の固定ロール２１，２２の共通の接線は、被処理材６の懸架位置となると共に走行位置ともなる。
【００１６】
被処理材６は、糸の場合は綛に巻いた状態で３本のロール２１，２２，２３に懸架し、可動ロール２３の位置を下げ適宜緊張状態に置く。可動ロール２３はロール支持部材２４に支持され、ロール支持部材２４は、緊張装置２５の作動によりその位置を上下動し、所要の緊張を被処理材６に与える。固定ロール２１には動力伝達手段２６を介してモータ２７が接続され適宜回転数で回転するためため、前記３ローラに懸架されている被処理材６もローラ２１，２２上を循環移行することになる。尚、２８は操作パネルである。
【００１７】
上記被処理材６の循環移行は、モータ２７の回転と停止の繰り返しによるが、回転アーム１８に接近してセンサー（近接スイッチ）２９を設けることにより回転アーム１８の動きを検知し、ビートハンマー１ａ，１ｂが上下に開きビートロール７ａ，７ｂが開いた時点を検知し、そのタイミングに基づいてモータ２７を回転し、被処理材は移行することになる。
【００１８】
以上の如く本発明装置にあっては、ビーティング時のビート力はすべてビートスプリングの力を利用しているために、予めその力の程度は知り得ることが出来、被処理材に対して過激な衝撃を与えることがなく最適なビート力を調整の上で与えることが出来る。
【００１９】
ビートハンマーの上下動を管理することによって、被処理材６に応じ予めビート数を設定しておけば自動停止させることも可能である。
更に、ビートハンマーの上記上下動管理に関連してビートを停止するときはビートハンマーは上下に開いているので被処理材の取替作業が容易である。
【００２０】
本発明においては、糸，布帛等を被処理材とするが、糸は綛の状態で３本の被処理材懸架ロールに掛ければ良いが、布帛の場合は前記ロールに掛けられる幅に畳んだ状態で長く巻き込み端部を固定すれば良い。
【図面の簡単な説明】
【００２１】
【図１】ビートハンマーロール、被処理材支持ロール等の配置を示す正面図。
【図２】ビートハンマー及びその揺動手段を示す側面図。
【符号の説明】
【００２２】
１ａ，１ｂ  ビートハンマー
２  ハンマー駆動装置
３  被処理材支持装置
４ａ，４ｂ  軸
５ａ，５ｂ  ハンマーバー
６  被処理材
７ａ，７ｂ  ビーティング部材（ビートロール）
８  ニップ間隙
９ニップ間隙開口手段
１０ａ，１０ｂ  ビートスプリング
１１ａ，１１ｂ  修正用補助スプリング
１２  ステー
１３  アングル材
１４  ボルト
１５  モーター
１６  駆動系
１７ａ，１７ｂ  軸
１８ａ，１８ｂ  回転アーム
１９ａ，１９ｂ  ロール
２１，２２，２３  被処理材懸架ロール
２４  ロール支持部材
２５  緊張装置
２６  動力伝達手段
２７  モータ
２８  操作パネル
２９  センサー
【図１】
2007211382.tif 000003
【図２】
2007211382.tif 000004